(57)【要約】【課題】  不正アクセスに対してプライバシーの保護を図り、かつ、外部の画像処理装置からの指示により、ユーザが利用する端末装置の記憶手段を利用して、画像データの入出力を行うことができる画像処理システムを提供すること。【解決手段】  画像処理装置１００が、当該画像処理装置１００にアクセスする際に必要となる画像処理装置アクセス権を記憶する記憶手段と、端末装置２００の記憶手段に格納されたファイルを表示する表示手段と、前記ファイルの印刷処理を前記端末装置２００に指示する入力手段と、前記端末装置２００が当該画像処理装置１００の記憶手段に格納された画像処理装置アクセス権と同一の画像処理装置アクセス権を有する場合に、当該端末装置２００から受信した画像データを印刷手段から印刷する処理手段とを備える。【選択図】  図１
2005191941.tif 000002
【特許請求の範囲】
【請求項１】
画像処理装置と、権限サーバ装置と、端末装置とが通信ネットワークに接続された画像データの入出力を行う画像処理システムであって、
前記画像処理装置が、当該画像処理装置にアクセスする際に必要となる画像処理装置アクセス権を記憶する記憶手段と、前記端末装置の記憶手段に格納されたファイルを表示する表示手段と、前記ファイルの印刷処理を前記端末装置に指示する入力手段と、前記端末装置が当該画像処理装置の記憶手段に格納された画像処理装置アクセス権と同一の画像処理装置アクセス権を有する場合に、当該端末装置から受信した画像データを印刷手段から印刷する処理手段とを備えると共に、
前記権限サーバ装置が、前記画像処理装置アクセス権を記憶する記憶手段と、当該画像処理装置アクセス権を端末装置に与える処理手段とを備えると共に、
前記端末装置が、当該端末装置にアクセスする際に必要となる端末装置アクセス権を記憶する記憶手段と、前記画像処理装置が当該端末装置の記憶手段に格納された端末装置アクセス権と同一の端末装置アクセス権を有する場合に、前記印刷処理の指示に基づいて、画像データを作成して画像処理装置に送信する処理手段とを備えたことを特徴とした画像処理システム。
【請求項２】
請求項１記載の画像処理システムにおいて、前記権限サーバ装置の記憶手段が、前記端末装置アクセス権を記憶すると共に、前記権限サーバ装置の処理手段が、当該端末装置アクセス権を前記画像処理装置に与えることを特徴とした画像処理システム。
【請求項３】
画像処理装置と、権限サーバ装置と、端末装置とが通信ネットワークに接続された画像データの入出力を行う画像処理システムであって、
前記画像処理装置が、当該画像処理装置にアクセスする際に必要となる画像処理装置アクセス権を記憶する記憶手段と、前記端末装置が当該画像処理装置の記憶手段に格納された画像処理装置アクセス権と同一の画像処理装置アクセス権を有する場合に、画像読取手段から読取った画像データを端末装置に送信する処理手段とを備えると共に、
前記権限サーバ装置が、前記画像処理装置アクセス権を記憶する記憶手段と、当該画像処理装置アクセス権を端末装置に与える処理手段とを備えると共に、
前記端末装置が、当該端末装置にアクセスする際に必要となる端末装置アクセス権を記憶する記憶手段と、前記画像処理装置が当該端末装置の記憶手段に格納された端末装置アクセス権と同一の端末装置アクセス権を有する場合に、前記画像処理装置から受信した画像データを当該端末装置の記憶手段に格納する処理手段とを備えたことを特徴とした画像処理システム。
【請求項４】
請求項３記載の画像処理システムにおいて、前記権限サーバ装置の記憶手段が、前記端末装置アクセス権を記憶すると共に、前記権限サーバ装置の処理手段が、当該端末装置アクセス権を前記画像処理装置に与えることを特徴とした画像処理システム。
【請求項５】
請求項１記載の画像処理システムにおいて、前記画像処理装置が、端末装置から受信した画像データ又はファイルをリームバブルメディアに書込むリムーバブルメディア書込手段を備えたことを特徴とする画像処理システム。
【請求項６】
画像データの入出力を行う画像処理装置において、当該画像処理装置にアクセスする際に必要となる画像処理装置アクセス権を記憶する記憶手段と、外部の端末装置の記憶手段に格納されたファイルを表示する表示手段と、前記ファイルの印刷処理を前記端末装置に指示する入力手段と、前記端末装置が当該画像処理装置の記憶手段に格納された画像処理装置アクセス権と同一の画像処理装置アクセス権を有する場合に、当該端末装置から受信した画像データを印刷手段から印刷する処理手段とを備えたことを特徴とした画像処理装置。
【請求項７】
画像データの入出力を行う画像処理装置において、当該画像処理装置にアクセスする際に必要となる画像処理装置アクセス権を記憶する記憶手段と、外部の端末装置が当該画像処理装置の記憶手段に格納された画像処理装置アクセス権と同一の画像処理装置アクセス権を有する場合に、画像読取手段から読取った画像データを端末装置に送信する処理手段とを備えたことを特徴とした画像処理装置。
【請求項８】
請求項６記載の画像処理処理装置において、外部の端末装置から受信した画像データ又はファイルをリームバブルメディアに書込むリムーバブルメディア書込手段を備えたことを特徴とする画像処理装置。
【発明の詳細な説明】
【技術分野】
【０００１】
本発明は、通信ネットワークを介して、自宅等の端末装置の資源を利用して画像データの入出力を行う画像処理システムに関する。
【背景技術】
【０００２】
近年、通信ネットワークを利用して、ユーザの利用する端末装置から現像所等が管理するサーバ装置に写真等の画像データをアップロードし、印刷を依頼するサービスが普及している。これによると、ユーザが現像所等に直接行かなくても、所望する画像データの印刷を業者に依頼することができる。その後、ユーザは、印刷物を所定の現像所で受け取る、又は印刷物を郵送してもらうことにより、印刷物を入手することができる。
【０００３】
一方、コピー、スキャナ、又はファックス等の機能を有する複合機が、オフィスやコンビニエンスストア等で通信ネットワークに接続され活用されている。これによると、ユーザの利用する端末装置が、複合機に画像データを送信して印刷することができる。
【０００４】
しかしながら、上記いずれの場合においても、外部の複合機からの指示により、ユーザが利用する自宅の端末装置等に格納されたデータを当該複合機で印刷することはできなかった。また、外部の複合機からの指示により、当該複合機のスキャナ機能により読取った画像データを自宅の端末装置のＨＤＤ（Ｈａｒｄ  Ｄｉｓｋ  Ｄｒｉｖｅ）等に保存することもできなかった。
【０００５】
これらに関連する先行技術文献として、下記特許文献１乃至３が開示されている。
【０００６】
特許文献１記載の発明は、プライバシーの保護を図りつつ、プリントを所望する画像データをネットワークを介してリトリーヴ可能な画像データハンドリングシステム等を提供することを課題とする。特許文献１記載の発明によれば、顧客が自ら画像データをアップロードすることなく、リトリーヴサーバーがホームサーバー内の画像データをリトリーヴするため、プリントのために画像データを転送する顧客の作業を、より容易にすることができる。又、ＷＷＷサーバーがリトリーヴ権を発行したリトリーヴサーバーのみが、画像データのリトリーヴを許可されるので、許可されていない第三者のリトリーヴが禁止されることとなり、それによりプライバシーの保護を図れる。
【０００７】
特許文献２記載の発明は、家庭内の電気機器及び情報機器を統合することを課題とする。特許文献２記載の発明によれば、ホームサーバが、ＥＣＨＯＮＥＴ及びＢｌｕｅｔｏｏｔｈのインターフェースを有しているので、家電製品や情報機器をホームサーバに容易に接続でき、家庭内情報網を構築することができる。そして、公共ネットワークと情報を送受信したり、家庭内の電気機器をコントロールしたりすることが可能となる。
【０００８】
特許文献３記載の発明は、操作に不慣れな者であっても画像の合成を容易に行えると共に素早く、確実にプリント画像が得られるプリント注文受付器等を提供することを課題とする。特許文献３記載の発明によれば、編集中の画像の種類によって、回転等の編集を禁止するので、画像編集者が、編集しようとしている画像が、回転できるものか否か自ら判断することなく編集作業を行えるため、編集を迅速に行える。そして、プリント注文受付器は、編集した画像を画像処理装置から印刷することができる。
【０００９】
しかしながら、上記先行技術文献に記載の発明においても、不正アクセスに対してプライバシーの保護を図り、かつ、外部の複合機等の画像処理装置からの指示により、ユーザが利用する端末装置の記憶手段を利用して、当該記憶手段に格納されたファイルを印刷したり、当該記憶手段に画像処理装置で作成した画像データを保管することはできなかった。
【特許文献１】特開２００２−３５１９４４号公報
【特許文献２】特開２００２−３１２２６８号公報
【特許文献３】特開２００１−２９７２３８号公報
【発明の開示】
【発明が解決しようとする課題】
【００１０】
本発明は、かかる従来例の有する不都合を改善し、不正アクセスに対してプライバシーの保護を図り、かつ、外部の複合機等の画像処理装置からの指示により、ユーザが利用する端末装置の記憶手段を利用して、画像データの入出力を行うことができる画像処理システムを提供することを課題とする。
【課題を解決するための手段】
【００１１】
上記課題を解決するため、本発明では次のような構成を採っている。
【００１２】
請求項１記載の発明は、画像処理装置と、権限サーバ装置と、端末装置とが通信ネットワークに接続された画像データの入出力を行う画像処理システムである。そして、画像処理装置が、当該画像処理装置にアクセスする際に必要となる画像処理装置アクセス権を記憶する記憶手段と、端末装置の記憶手段に格納されたファイルを表示する表示手段と、これらのファイルの印刷処理を端末装置に指示する入力手段と、端末装置が当該画像処理装置の記憶手段に格納された画像処理装置アクセス権と同一の画像処理装置アクセス権を有する場合に、当該端末装置から受信した画像データを印刷手段から印刷する処理手段とを備えている。また、権限サーバ装置が、画像処理装置アクセス権を記憶する記憶手段と、当該画像処理装置アクセス権を端末装置に与える処理手段とを備えている。さらに、端末装置が、当該端末装置にアクセスする際に必要となる端末装置アクセス権を記憶する記憶手段と、画像処理装置が当該端末装置の記憶手段に格納された端末装置アクセス権と同一の端末装置アクセス権を有する場合に、前述の印刷処理の指示に基づいて、画像データを作成して画像処理装置に送信する処理手段とを備えている。
【００１３】
ここで、画像処理装置とは、画像データの入出力を行う装置であって、例えば、コピー、スキャナ、又はファックス等の機能を有する複合機等が該当する。また、端末装置とは、情報処理装置であって、例えば、ＰＣ（Ｐｅｒｓｏｎａｌ  Ｃｏｍｐｕｔｅｒ）等が該当する。そして、権限サーバ装置とは、画像処理装置を利用する権限を管理する情報処理装置であって、例えば、サーバコンピュータ等が該当する。
【００１４】
請求項２記載の発明は、請求項１記載の画像処理システムにおいて、権限サーバ装置の記憶手段が、端末装置アクセス権を記憶すると共に、権限サーバ装置の処理手段が、当該端末装置アクセス権を画像処理装置に与えることを特徴とした画像処理システムである。
【００１５】
請求項３記載の発明は、画像処理装置と、権限サーバ装置と、端末装置とが通信ネットワークに接続された画像データの入出力を行う画像処理システムである。そして、画像処理装置が、当該画像処理装置にアクセスする際に必要となる画像処理装置アクセス権を記憶する記憶手段と、端末装置が当該画像処理装置の記憶手段に格納された画像処理装置アクセス権と同一の画像処理装置アクセス権を有する場合に、画像読取手段から読取った画像データを端末装置に送信する処理手段とを備えている。また、権限サーバ装置が、画像処理装置アクセス権を記憶する記憶手段と、当該画像処理装置アクセス権を端末装置に与える処理手段とを備えている。さらに、端末装置が、当該端末装置にアクセスする際に必要となる端末装置アクセス権を記憶する記憶手段と、画像処理装置が当該端末装置の記憶手段に格納された端末装置アクセス権と同一の端末装置アクセス権を有する場合に、画像処理装置から受信した画像データを当該端末装置の記憶手段に格納する処理手段とを備えている。
【００１６】
請求項４記載の発明は、請求項３記載の画像処理システムにおいて、権限サーバ装置の記憶手段が、端末装置アクセス権を記憶すると共に、権限サーバ装置の処理手段が、当該端末装置アクセス権を画像処理装置に与えることを特徴とした画像処理システムである。
【００１７】
請求項５記載の発明は、請求項１記載の画像処理システムにおいて、画像処理装置が、端末装置から受信した画像データ又はファイルをリームバブルメディアに書込むリムーバブルメディア書込手段を備えたことを特徴とする画像処理システムである。
【００１８】
請求項６記載の発明は、画像データの入出力を行う画像処理装置において、当該画像処理装置にアクセスする際に必要となる画像処理装置アクセス権を記憶する記憶手段と、外部の端末装置の記憶手段に格納されたファイルを表示する表示手段と、これらのファイルの印刷処理を端末装置に指示する入力手段と、端末装置が当該画像処理装置の記憶手段に格納された画像処理装置アクセス権と同一の画像処理装置アクセス権を有する場合に、当該端末装置から受信した画像データを印刷手段から印刷する処理手段とを備えている。
【００１９】
請求項７記載の発明は、画像データの入出力を行う画像処理装置において、当該画像処理装置にアクセスする際に必要となる画像処理装置アクセス権を記憶する記憶手段と、外部の端末装置が当該画像処理装置の記憶手段に格納された画像処理装置アクセス権と同一の画像処理装置アクセス権を有する場合に、画像読取手段から読取った画像データを端末装置に送信する処理手段とを備えている。
【００２０】
請求項８記載の発明は、請求項６記載の画像処理処理装置において、端末装置から受信した画像データ又はファイルをリームバブルメディアに書込むリムーバブルメディア書込手段を備えている。
【発明の効果】
【００２１】
本発明によれば、画像処理装置が端末装置の記憶手段に格納された端末装置アクセス権と同一の端末装置アクセス権を有する場合、かつ、端末装置が画像処理装置の記憶手段に格納された画像処理装置アクセス権と同一の端末装置アクセス権を有する場合に、画像処理装置及び端末装置間のアクセスが可能になるので、不正アクセスに対してプライバシーの保護を図り、かつ、外部の複合機等の画像処理装置からの指示により、ユーザが利用する端末装置の記憶手段を利用して、画像データの入出力を行うことができる画像処理システムを提供することができる。
【発明を実施するための最良の形態】
【００２２】
以下、図面を参照しながら、本発明の実施形態について説明する。
【００２３】
図１は、本実施形態のシステムの全体構成を示すブロック図である。通信ネットワーク４００に、画像処理装置１００と、端末装置２００と、権限サーバ装置３００とが接続されている。画像処理装置１００は、端末装置２００の記憶手段に格納されたデータを印刷したり、画像処理装置１００の画像読取手段から受付けた画像データを端末装置２００の記憶手段に格納したりすることができるようになっている。また、端末装置２００は、画像処理装置１００の要求に従って、端末装置２００の記憶手段に格納されたデータを所定のアプリケーションで実行して、その画像データを画像処理装置１００に送信することができるようになっている。さらに、端末装置２００は、画像処理装置１００の要求に従って、画像処理装置１００から送信された画像データを受信して、端末装置２００の記憶手段に格納することができるようになっている。また、権限サーバ装置３００は、端末装置２００に画像処理装置１００へのアクセス権を与えるようになっている。
【００２４】
図２は、画像処理装置１００としての複合機の構成図である。画像処理装置１００は、ＣＰＵ等の処理手段１０１と、操作キー等の入力手段１０２と、液晶パネル等の表示手段１０３と、スキャナ等の画像読取手段１０４と、プリンタ等の印刷手段１０５と、ＮＩＣ（Ｎｅｔｗｏｒｋ  Ｉｎｔｅｒｆａｃｅ  Ｃａｒｄ）等の通信手段１０６と、ＣＤ−Ｒ（Ｃｏｍｐａｃｔ  Ｄｉｓｋ  Ｒｅｃｏｒｄａｂｌｅ）ドライブ、ＤＶＤ−Ｒ（Ｄｉｇｉｔａｌ  Ｖｅｒｓａｔｉｌｅ  Ｄｉｓｋ  Ｒｅｃｏｒｄａｂｌｅ）ドライブ等のリムーバブルメディア書込手段１０７と、ＨＤＤ（Ｈａｒｄ  Ｄｉｓｋ  Ｄｒｉｖｅ）、メモリ等の記憶手段１０８とを備えている。ここで、入力手段１０２及び表示手段１０３は、入力機能と表示機能とを併有するタッチパネル等であってもよい。また、記憶手段１０８には、画像処理装置プログラムが格納されている。画像処理装置１００の処理手段１０１は、当該画像処理装置プログラムを実行することにより、端末装置２００から送信された画像データを印刷したり、画像読取手段１０４から受付けた画像データを端末装置２００に送信したりする機能等を提供する。さらに、記憶手段１０８には、当該画像処理装置１００に対応する画像処理装置識別子及び当該画像処理装置１００にアクセスする際に必要な画像処理装置アクセス権が格納されている。ここで、画像処理装置識別子とは、画像処理装置を識別するものであって、例えば、ＦＱＤＮ（Ｆｕｌｌｙ  Ｑｕａｌｉｆｉｅｄ  Ｄｏｍａｉｎ  Ｎａｍｅ）、ＩＰアドレス等が該当する。また、画像処理装置アクセス権としては、当該画像処理装置にアクセスを許可されたユーザを識別するユーザＩＤ及びそのパスワードが該当する。
【００２５】
図３は、端末装置２００としてのＰＣの構成図である。端末装置２００は、ＣＰＵ等の処理手段２０１と、キーボード、マウス等の入力手段２０２と、ディスプレイ等の表示手段２０３と、ＮＩＣ等の通信手段２０４と、ＨＤＤ、メモリ等の記憶手段２０５とを備えている。ここで、記憶手段２０５には、端末装置プログラムと、権限ファイルとが格納されている。端末装置２００の処理手段２０１は、端末装置プログラムを実行することにより、権限ファイルを参照して画像処理装置１００に端末装置２００へのアクセス権を与える機能等を提供する。また、記憶手段２０５には、当該端末装置２００にアクセスする際に必要となる端末装置アクセス権が格納されている。端末装置アクセス権としては、当該端末装置２００にアクセスを許可されたユーザを識別するユーザＩＤ及びそのパスワードが該当する。さらに、端末装置２００には、予め本システムで利用することができる画像処理装置のプリンタドライバ等がインストールされている。
【００２６】
図４は、権限ファイルの構造図である。権限ファイルは、本システムの利用者であって、端末装置２００の利用者を識別するユーザ識別子と、当該ユーザ識別子に対応する利用者が利用する本システムのサービスを識別するサービス識別子とを関連付けて格納している。ユーザ識別子としては、例えば、ユーザＩＤ及びパスワードの組合せ等が該当する。また、権限ファイルは、前述のユーザ識別子と、画像処理装置からアクセスできる端末装置２００の記憶領域を識別するアクセス先識別子とを関連付けて格納している。さらに、権限ファイルは、前述のユーザ識別子と、当該ユーザ識別子に対応する利用者が利用する画像処理装置を識別する利用画像処理装置識別子とを関連付けて格納している。ここで、権限ファイルは、権限サーバ装置３００の処理手段３０１が作成したものであり、詳細については後述する。
【００２７】
図５は、権限サーバ装置３００としてのサーバコンピュータの構成図である。権限サーバ装置３００は、ＣＰＵ等の処理手段３０１と、ＮＩＣ等の通信手段３０２と、ＨＤＤ、メモリ等の記憶手段３０３とを備えている。ここで、記憶手段３０３には、権限サーバ装置プログラムと、画像処理装置マスタファイルと、サービス設定ファイルと、アクセス先設定ファイルと、利用画像処理装置ファイルとが格納されている。権限サーバ装置３００の処理手段３０１は、権限サーバ装置プログラムを実行することにより、画像処理装置マスタファイル等を参照して、端末装置２００に画像処理装置１００へのアクセス権を与える機能等を提供する。
【００２８】
図６は、権限サーバ装置３００の記憶手段３０３に格納されている画像処理装置マスタファイルの構造図である。画像処理装置マスタファイルは、本システムで利用することができる全ての画像処理装置に関する情報を格納している。具体的には、画像処理装置マスタファイルは、画像処理装置を識別する画像処理装置識別子と、当該画像処理装置にアクセスする際に必要となる画像処理装置アクセス権とを関連付けて格納している。画像処理装置識別子としては、例えば、ＦＱＤＮ（Ｆｕｌｌｙ  Ｑｕａｌｉｆｉｅｄ  Ｄｏｍａｉｎ  Ｎａｍｅ）、ＩＰアドレス等が該当する。また、画像処理装置アクセス権としては、当該画像処理装置にアクセスを許可されたユーザを識別するユーザＩＤ及びそのパスワードが該当する。図６の第一レコードでは、画像処理装置識別子「ｍｆｐ００１．ｄｏｍａｉｎ」の画像処理装置は、本システムで利用することができ、かつ、外部の端末装置２００からアクセスする際に画像処理装置アクセス権「ｕｓｅｒ−ｍｆｐ００１」が必要であることを示している。
【００２９】
図７は、権限サーバ装置３００の記憶手段３０３に格納されているサービス設定ファイルの構造図である。サービス設定ファイルは、本システムを利用するユーザが利用するサービスに関する情報を格納している。具体的には、サービス設定ファイルは、本システムを利用するユーザを識別するユーザ識別子と、本システムで利用することができるサービスを識別するサービス識別子とを関連付けて格納している。ユーザ識別子としては、ユーザＩＤ及びそのパスワードが該当する。本実施形態では、サービス識別子として、「印刷サービス」に対応する「ｐｒｉｎｔ」、「ストレージサービス」に対応する「ｓｔｏｒａｇｅ」等を利用している。例えば、図７の第一レコードは、ユーザ識別子「ｕｓｅｒ００１」のユーザが、「印刷サービス」を利用することができることを示している。
【００３０】
図８は、権限サーバ装置３００の記憶手段３０３に格納されているアクセス先設定ファイルの構造図である。アクセス先設定ファイルは、端末装置２００にアクセスする際のアクセス先に関する情報を格納している。具体的には、アクセス先設定ファイルは、本システムを利用するユーザを識別するユーザ識別子と、本システムを利用するユーザが外部の画像処理装置からアクセスする端末装置のアクセス先を識別するアクセス先識別子とを関連付けて格納している。ユーザ識別子の定義については、サービス設定ファイルに格納されるユーザ識別子と同様である。アクセス先識別子としては、例えば、ＵＲＬ（Ｕｎｉｆｏｒｍ  Ｒｅｓｏｕｒｃｅ  Ｌｏｃａｔｏｒ）又はＩＰアドレス等によって表されるアクセス先ディレクトリのパス等が該当する。図８の第１レコードは、ユーザ識別子「ｕｓｅｒ００１」のユーザが、自分の端末装置のアクセス先として、「ｈｔｔｐ：／／ｐｃ００１．ｄｏｍａｉｎ／ｓｈａｒｅｄ」というディレクトリを指定していることを示している。ここで、ドメイン名の規則により、「ｐｃ００１．ｄｏｍａｉｎ」は端末装置を識別する部分であり、「ｓｈａｒｅｄ」は当該端末装置におけるディレクトリを識別する部分である。
【００３１】
図９は、権限サーバ装置３００の記憶手段３０３に格納されている利用画像処理装置ファイルの構造図である。利用画像処理装置ファイルは、本システムを利用するユーザが、利用することを予め指定した画像処理装置に関する情報を格納している。具体的には、利用画像処理装置ファイルは、本システムを利用するユーザを識別するユーザ識別子と、画像処理装置を識別する画像処理装置識別子とを関連付けて格納している。ユーザ識別子の定義については、サービス設定ファイル、アクセス先設定ファイルの場合と同様である。また、画像処理装置識別子の定義については、画像処理装置マスタファイルの場合と同様である。図９の第一レコード及び第２レコードは、ユーザ識別子「ｕｓｅｒ００１」のユーザが、画像処理装置識別子「ｍｆｐ００１．ｄｏｍａｉｎ」、「ｍｆｐ００２．ｄｏｍａｉｎ」に対応する２台の画像処理装置の利用を予め指定していることを示している。
【００３２】
次に、本実施形態のシステムの動作について説明する。
【００３３】
〔システムの初期設定〕
【００３４】
図１０は、システムの初期設定時における、画像処理装置１００、端末装置２００、及び権限サーバ装置３００のフローチャートである。ここで、当該画像処理装置１００は、コンビニエンスストア等に新たに設置されたものであると仮定する。また、当該画像処理装置１００は、通信ネットワーク４００に接続する際のＦＱＤＮとして、「ｍｆｐ００３．ｄｏｍａｉｎ」が事前に割り当てられており、当該ＦＱＤＮをこの画像処理装置１００の画像処理装置識別子として記憶手段１０８に格納している。さらに、この画像処理装置１００にアクセスする際の画像処理装置アクセス権として「ｕｓｅｒ−ｍｆｐ００３」を記憶手段１０８に格納している。
【００３５】
画像処理装置１００の処理手段１０１は、入力手段１０２としての操作キーから、所定のキーが押下されたことを契機として、当該画像処理装置１００を識別する画像処理装置識別子としての「ｍｆｐ００３．ｄｏｍａｉｎ」と、画像処理装置アクセス権としての「ｕｓｅｒ−ｍｆｐ００３」とを記憶手段１０８から取り出して権限サーバ装置３００に送信する（Ｓ５）。そして、権限サーバ装置３００の処理手段３０１は、画像処理装置識別子としての「ｍｆｐ００３．ｄｏｍａｉｎ」と、画像処理装置アクセス権としての「ｕｓｅｒ−ｍｆｐ００３」とを受信して、当該画像処理装置識別子と画像処理装置アクセス権とを関連付けて画像処理装置マスタファイルに格納する（Ｓ１０）。図６の第三レコードは、権限サーバ装置３００の処理手段３０１が、当該画像処理装置識別子「ｍｆｐ００３．ｄｏｍａｉｎ」と画像処理装置アクセス権「ｕｓｅｒ−ｍｆｐ００３」とを関連付けて格納した状態を示している。
【００３６】
一方、本システムを利用するユーザは、次のようにして各種の情報を登録する。端末装置２００の処理手段２０１は、入力手段２０２としてのキーボードから所定のコマンドを受付けて、キーボードの「Ｅｎｔｅｒ」キー等が押下されたことを契機として、サービス登録画面５００の表示要求を権限サーバ装置３００に送信する（Ｓ１５）。サービス登録画面５００の表示要求は、例えば、Ｗｅｂブラウザから権限サーバ装置３００に対応するＵＲＬを指定して行うようにしてもよい。当該表示要求を受信した権限サーバ装置３００の処理手段３０１は、画像処理装置マスタファイルを参照して、本システムで利用できる画像処理装置を識別する画像処理装置識別子を取り出す。続いて、権限サーバ装置３００の処理手段３０１は、取り出した画像処理装置識別子に基づいて、サービス登録画面５００の表示制御情報を作成する。そして、権限サーバ装置３００の処理手段３０１は、作成したサービス登録画面５００の表示制御情報を端末装置２００に送信する（Ｓ２０）。当該表示制御情報を受信した端末装置２００の処理手段２０１は、表示手段２０３にサービス登録画面５００を表示する（Ｓ２５）。
【００３７】
図１１は、サービス登録画面５００の一例を示す構成図である。当該サービス登録画面５００は、利用するサービスを選択する表５０１と、端末装置２００へのアクセス先を識別するアクセス先識別子を入力する欄５０２と、ユーザが利用する画像処理装置を予め指定する表５０３と、ユーザＩＤを入力する欄５０４と、パスワードを入力する欄５０５と、ＯＫボタン５０６とを備えている。
【００３８】
ここで、ユーザは、入力手段２０２としてのマウスにより、サービスを選択する表５０１において、サービス名を押下することによって利用するサービスを選択することができるようになっている。図１１では、選択されたサービスとして、「印刷サービス」にチェック記号が表示されている。同様に、ユーザは、入力手段２０２としてのマウスにより、画像処理装置を予め指定する表５０３において、画像処理装置識別子を押下することによって利用する画像処理装置を選択することができるようになっている。図１１では、選択された画像処理装置識別子として、「ｍｆｐ００１．ｄｏｍａｉｎ」及び「ｍｆｐ００２．ｄｏｍａｉｎ」にチェック記号が表示されている。また、ユーザは、入力手段２０２としてのキーボードから、アクセス先識別子を入力する欄５０２、ユーザＩＤを入力する欄５０４、及びパスワードを入力する欄５０５にそれぞれ該当する情報を入力することができるようになっている。
【００３９】
次に、端末装置２００の処理手段２０１は、サービス登録画面５００のＯＫボタン５０６が入力手段２０２としてのマウスにより押下されたことを契機として、サービスを選択する表５０１で選択されたサービス名に対応するサービス識別子と、アクセス先識別子を入力する欄５０２に入力されたアクセス先識別子と、画像処理装置を予め指定する表５０３で選択された画像処理装置識別子と、ユーザＩＤを入力する欄５０４に入力されたユーザＩＤ及びパスワードを入力する欄５０５に入力されたパスワードからなるユーザ識別子とを権限サーバ装置３００に送信する（Ｓ３０）。
【００４０】
そして、権限サーバ装置３００の処理手段３０１は、受信したサービス識別子と、アクセス先識別子と、画像処理装置識別子と、ユーザ識別子とを、次のように記憶手段３０３に格納する。権限サーバ装置３００の処理手段３０１は、受信したユーザ識別子と、サービス識別子とを関連付けてサービス設定ファイルに格納する。また、権限サーバ装置３００の処理手段３０１は、受信したユーザ識別子と、アクセス先識別子とを関連付けてアクセス先設定ファイルに格納する。さらに、権限サーバ装置３００の処理手段３０１は、受信したユーザ識別子と、画像処理装置識別子とを関連付けて利用画像処理装置ファイルに格納する。
【００４１】
続いて、権限サーバ装置３００の処理手段３０１は、新規ファイルとして権限ファイルを作成し、次のような情報を格納する（Ｓ３５）。権限サーバ装置３００の処理手段３０１は、受信したユーザ識別子と、サービス識別子とを関連付けて権限ファイルに格納する。また、権限サーバ装置３００の処理手段３０１は、受信したユーザ識別子と、アクセス先識別子とを関連付けて権限ファイルに格納する。さらに、権限サーバ装置３００の処理手段３０１は、受信したユーザ識別子と、画像処理装置識別子とを関連付けて権限ファイルに格納する。そして、権限サーバ装置３００の処理手段３０１は、以上のように作成した権限ファイルを端末装置２００に送信する（Ｓ４０）。そして、端末装置２００の処理手段２０１は、受信した権限ファイルを記憶手段２０５に格納する。
【００４２】
〔印刷サービス〕
【００４３】
図１２は、印刷サービス利用時における、画像処理装置１００、端末装置２００、権限サーバ装置３００のフローチャートである。
【００４４】
画像処理装置１００の処理手段１０１は、入力手段１０２としての操作キーから、所定のキーが押下されたことを契機として、予め記憶手段１０８に格納しているサービス選択画面６００の表示制御情報に基づいて、サービス選択画面６００を表示手段１０３に表示する（Ｓ５５）。図１３は、サービス選択画面６００の一例を示す構成図である。当該サービス選択画面６００は、印刷サービスを指定するボタン６０１と、ストレージサービスを指定するボタン６０２と、記録媒体作成サービスを指定するボタン６０３と、ユーザＩＤを入力する欄６０４と、パスワードを入力する欄６０５と、ＯＫボタン６０６を備えている。
【００４５】
ここで、ユーザは、印刷サービスを利用したい場合には、入力手段１０２としての操作キーにより、印刷サービスのボタン６０１を押下して選択する。ボタンが押下されたことを示すために、例えば、当該ボタンに表示される文字の色と背景の色を反転するようにしてもよい。また、ユーザは、入力手段１０２としての操作キーにより、ユーザＩＤを入力する欄６０４、及びパスワードを入力する欄６０５にそれぞれ該当する情報を入力することができるようになっている。
【００４６】
次に、画像処理装置１００の処理手段１０１は、サービス選択画面６００のＯＫボタン６０６が入力手段１０２により押下されたことを契機として、選択されたサービスのボタンに対応するサービス識別子と、ユーザＩＤを入力する欄６０４に入力されたユーザＩＤ及びパスワードを入力する欄６０５に入力されたパスワードからなるユーザ識別子と、記憶手段１０８に格納されている画像処理装置識別子とを権限サーバ装置３００に送信する（Ｓ６０）。
【００４７】
権限サーバ装置３００の処理手段３０１は、受信したユーザ識別子と、サービス識別子とが関連付けられてサービス設定ファイルに格納され、かつ、受信したユーザ識別子と、画像処理装置識別子とが関連付けられて利用画像処理装置ファイルに格納されている場合には、次の処理を行う（Ｓ６５）。
【００４８】
権限サーバ装置３００の処理手段３０１は、アクセス先設定ファイルを参照して、受信したユーザ識別子に関連付けられたアクセス先識別子を取り出す。続いて、権限サーバ装置３００の処理手段３０１は、画像処理装置マスタファイルを参照して、受信した画像処理装置識別子に関連付けられた画像処理装置アクセス権を取り出す。そして、権限サーバ装置３００の処理手段３０１は、取り出したアクセス先識別子に対応する端末装置２００に、受信したサービス識別子と、ユーザ識別子と、画像処理装置識別子と、取り出した画像処理装置アクセス権とを送信する（Ｓ７０）。
【００４９】
一方、端末装置２００の処理手段２０１は、受信したユーザ識別子と、サービス識別子とが関連付けられて権限ファイルに格納され、かつ、受信したユーザ識別子と、画像処理装置識別子とが関連付けられて権限ファイルに格納されている場合には、次の処理を行う（Ｓ７５）。端末装置２００の処理手段２０１は、記憶手段２０５から端末装置アクセス権を取り出して、受信した画像処理装置識別子に対応する画像処理装置１００に、当該端末装置アクセス権及び受信した画像処理装置アクセス権を送信する（Ｓ８０）。
【００５０】
画像処理装置１００の処理手段１０１は、端末装置アクセス権及び画像処理装置アクセス権を受信する。そして、画像処理装置１００の処理手段１０１は、受信した画像処理装置アクセス権が記憶手段１０８に格納されている画像処理装置アクセス権と同一である場合に、次の処理を行う。画像処理装置１００の処理手段１０１は、ファイルリストの取得要求及び受信した端末装置アクセス権を端末装置２００に送信する（Ｓ８５）。
【００５１】
次に、端末装置２００の処理手段２０１は、受信した端末装置アクセス権が記憶手段２０５に格納されている端末装置アクセス権と同一である場合に、次の処理を行う。端末装置２００の処理手段２０１は、権限ファイルを参照して、権限サーバ装置３００から受信したユーザ識別子に関連付けられたアクセス先識別子を取り出す。そして、端末装置２００の処理手段２０１は、当該取り出したアクセス先識別子に対応するディレクトリに格納されているファイル名の一覧（ファイルリスト）を作成する。続いて、端末装置２００の処理手段２０１は、当該作成したファイルリストを要求のあった画像処理装置１００に送信する（Ｓ９０）。
【００５２】
そして、画像処理装置１００の処理手段１０１は、受信したファイルリスト及び予め記憶手段１０８に格納している印刷条件画面の表示制御情報に基づいて、印刷条件画面７００を表示手段１０３に表示する（Ｓ９５）。図１４は、印刷条件画面７００の一例を示す構成図である。当該印刷条件画面７００は、印刷対象のファイル名を選択する表７０１と、用紙設定を選択するボタン７０２と、印刷部数を入力する欄７０３と、ＯＫボタン７０４とを備えている。
【００５３】
ここで、ユーザは、入力手段１０２としての操作キーにより、印刷対象のファイル名を選択する表７０１において、印刷したいファイル名を押下することによって印刷するファイルを選択することができるようになっている。図１４では、選択されたファイル名として、「ｆｉｌｅ００１」及び「ｆｉｌｅ００３」にチェック記号が表示されている。また、ユーザは、入力手段１０２としての操作キーにより、用紙設定を選択するボタン７０２を押下することができるようになっている。ボタンが押下されたことを示すために、例えば、当該ボタンに表示される文字の色と背景の色を反転するようにしてもよい。さらに、ユーザは、入力手段としての操作キーにより、印刷部数を入力する欄７０３に印刷する部数を入力することができるようになっている。
【００５４】
次に、画像処理装置１００の処理手段１０１は、印刷条件画面７００のＯＫボタン７０４が入力手段１０２により押下されたことを契機として、印刷対象のファイル名を選択する表７０１で選択されたファイル名に対応するファイルを、押下された用紙設定を選択するボタン７０２に対応する用紙設定で、かつ、印刷部数を入力する欄７０３に入力された印刷部数で画像処理装置１００に印刷する処理を、端末装置２００の処理手段２０１に実行させる印刷指示プログラムを端末装置２００に送信する（Ｓ１００）。本実施形態では、印刷指示プログラムは、ＪＡＶＡ（登録商標）言語で記述されており、ＲＭＩ遠隔メソッドの呼出しにより上記機能を実装している。
【００５５】
そして、端末装置２００の処理手段２０１は、受信した印刷指示プログラムを実行することにより、次の処理を行う。端末装置２００の処理手段２０１は、前述の印刷条件画面７００で選択されたファイルを、ＯＳ（Ｏｐｅｒａｔｉｎｇ  Ｓｙｓｔｅｍ）により当該ファイルに関連付けられたアプリケーションで開いて、印刷条件画面７００で設定された用紙設定及び印刷部数の画像データを作成する（Ｓ１０５）。続いて、端末装置２００の処理手段２０１は、作成した画像データを画像処理装置１００に送信する（Ｓ１１０）。
【００５６】
一方、画像処理装置１００の処理手段１０１は、受信した画像データに基づいて、印刷手段１０５としてのプリンタから印刷を行う（Ｓ１１５）。
【００５７】
以上のようにして、外部の画像処理装置からの指示により、ユーザが利用する自宅の端末装置等に格納されたファイルを当該画像処理装置で印刷することができる。
【００５８】
ここで、上記実施形態では、画像処理装置１００の表示手段１０３に表示されるサービス選択画面６００において、ユーザ識別子としてのユーザＩＤ及びそのパスワードを入力手段１０２としての操作キーから入力するようになっているが、画像処理装置１００にＩＣカードリーダを備えることによって、ＩＣカードに事前に格納したユーザＩＤ及びそのパスワードを読み込むようにしてもよい。また、画像処理装置１００の処理手段１０１は、端末装置２００から端末装置アクセス権を受信しているが、上記ＩＣカードに端末装置アクセス権を格納しておき、画像処理装置のＩＣカードリーダから読み込むようにしてもよい。さらに、画像処理装置１００は、端末装置２００から端末装置アクセス権を受信しているが、権限サーバ装置３００の記憶手段３０３にユーザ識別子と端末装置アクセス権とを関連付けて格納しておき、ステップＳ６５の処理の後、権限サーバ装置３００の処理手段３０１が、画像処理装置１００から受信したユーザ識別子に関連付けられた端末装置アクセス権を記憶手段３０３から取り出して画像処理装置１００に送信するようにしてもよい。
【００５９】
〔ストレージサービス〕
【００６０】
図１５は、ストレージサービス利用時における、画像処理装置１００、端末装置２００、権限サーバ装置３００のフローチャートである。
【００６１】
画像処理装置１００の処理手段１０１は、入力手段１０２としての操作キーから、所定のキーが押下されたことを契機として、予め記憶手段１０８に格納しているサービス選択画面の表示制御情報に基づいて、サービス選択画面６００を表示手段１０３に表示する（Ｓ１２５）。サービス選択画面６００については、前述の印刷サービス利用時と同じなので説明を省略する。
【００６２】
ここで、ユーザは、ストレージサービスを利用したい場合には、入力手段としての操作キーにより、ストレージサービスのボタン６０２を押下して選択する。また、ユーザは、入力手段としての操作キーにより、ユーザＩＤを入力する欄６０４、及びパスワードを入力する欄６０５にそれぞれ該当する情報を入力する。
【００６３】
次に、画像処理装置１００の処理手段１０１は、サービス選択画面６００のＯＫボタン６０６が入力手段１０２により押下されたことを契機として、選択されたサービスのボタンに対応するサービス識別子と、ユーザＩＤを入力する欄６０４に入力されたユーザＩＤ及びパスワードを入力する欄６０５に入力されたパスワードからなるユーザ識別子と、記憶手段１０８に格納されている画像処理装置識別子とを権限サーバ装置３００に送信する（Ｓ１３０）。
【００６４】
権限サーバ装置３００の処理手段３０１は、受信したユーザ識別子と、サービス識別子とが関連付けられてサービス設定ファイルに格納され、かつ、受信したユーザ識別子と、画像処理装置識別子とが関連付けられて利用画像処理装置ファイルに格納されている場合には、次の処理を行う（Ｓ１３５）。
【００６５】
権限サーバ装置３００の処理手段３０１は、アクセス先設定ファイルを参照して、受信したユーザ識別子に関連付けられたアクセス先識別子を取り出す。続いて、権限サーバ装置３００の処理手段３０１は、画像処理装置マスタファイルを参照して、受信した画像処理装置識別子関連付けられた画像処理装置アクセス権を取り出す。そして、権限サーバ装置３００の処理手段３０１は、取り出したアクセス先識別子に対応する端末装置２００に、受信したサービス識別子と、ユーザ識別子と、画像処理装置識別子と、取り出した画像処理装置アクセス権とを送信する（Ｓ１４０）。
【００６６】
一方、端末装置２００の処理手段２０１は、受信したユーザ識別子と、サービス識別子とが関連付けられて権限ファイルに格納され、かつ、受信したユーザ識別子と、画像処理装置識別子とが関連付けられて権限ファイルに格納されている場合には、次の処理を行う（Ｓ１４５）。端末装置２００の処理手段２０１は、記憶手段２０５から端末装置アクセス権を取り出して、受信した画像処理装置識別子に対応する画像処理装置に、当該端末装置アクセス権及び受信した画像処理装置アクセス権を送信する（Ｓ１５０）。
【００６７】
画像処理装置１００の処理手段１０１は、端末装置アクセス権及び画像処理装置アクセス権を受信する。そして、画像処理装置１００の処理手段１０１は、受信した画像処理装置アクセス権が記憶手段１０８に格納されている画像処理装置アクセス権と同一である場合に、次の処理を行う。画像処理装置１００の処理手段１０１は、アクセス先識別子の取得要求及び受信した端末装置アクセス権を端末装置２００に送信する（Ｓ１５５）。
【００６８】
次に、端末装置２００の処理手段２０１は、受信した端末装置アクセス権が記憶手段２０５に格納されている端末装置アクセス権と同一である場合に、次の処理を行う。端末装置２００の処理手段２０１は、権限ファイルを参照して、権限サーバ装置３００から受信したユーザ識別子に関連付けられたアクセス先識別子を取り出す。続いて、端末装置２００の処理手段２０１は、取り出したアクセス先識別子を要求のあった画像処理装置１００に送信する（Ｓ１６０）。
【００６９】
そして、画像処理装置１００の処理手段１０１は、受信したアクセス先識別子及び予め記憶手段１０８に格納しているストレージ条件画面の表示制御情報に基づいて、ストレージ条件画面８００を表示手段に表示する（Ｓ１６３）。図１６は、ストレージ条件画面８００の一例を示す構成図である。当該ストレージ条件画面８００は、画像読取手段１０４としてのスキャナから原稿等を読み込んで、画像データを作成する際の画像データの種別を選択する表８０１と、アクセス先を確認するアクセス先識別子表示欄８０２と、ＯＫボタン８０３とを備えている。
【００７０】
ここで、ユーザは、入力手段１０２としての操作キーにより、画像データの種別を選択する表８０１において、作成したい画像データの種別を押下することによって画像データの種別を選択することができるようになっている。図１６では、選択された画像データの種別として、「ｊｐｇ」のトグルがオンになっている。また、ユーザは、画像データの種別を選択すると共に、画像読取手段１０４としてのスキャナに原稿等をセットしておく。
【００７１】
次に、画像処理装置１００の処理手段１０１は、ストレージ条件画面８００のＯＫボタン８０３が入力手段１０２により押下されたことを契機として、画像読取手段１０４としてのスキャナから原稿等を読み込んで、ストレージ条件画面８００で選択された画像データの種別に従って、読み込んだ原稿等の画像データを作成する（Ｓ１６５）。続いて、画像処理装置１００の処理手段１０１は、当該作成した画像データ及びストレージ条件画面８００に表示したアクセス先識別子を端末装置２００に送信する（Ｓ１７０）。
【００７２】
そして、端末装置２００の処理手段２０１は、受信した画像データを、受信したアクセス先識別子に対応する記憶領域に格納する（Ｓ１７５）。
【００７３】
以上のようにして、外部の画像処理装置からの指示により、当該画像処理装置の画像読取手段により読取った画像データを端末装置の記憶領域に格納することができる。
【００７４】
ここで、上記実施形態では、画像処理装置１００の表示手段１０３に表示されるサービス選択画面６００において、ユーザ識別子としてのユーザＩＤ及びそのパスワードを入力手段１０２としての操作キーから入力するようになっているが、画像処理装置１００にＩＣカードリーダを備えることによって、ＩＣカードに事前に格納したユーザＩＤ及びそのパスワードを読み込むようにしてもよい。また、画像処理装置１００の処理手段１０１は、端末装置２００から端末装置アクセス権を受信しているが、上記ＩＣカードに端末装置アクセス権を格納しておき、画像処理装置のＩＣカードリーダから読み込むようにしてもよい。さらに、画像処理装置１００は、端末装置２００から端末装置アクセス権を受信しているが、権限サーバ装置３００の記憶手段３０３にユーザ識別子と端末装置アクセス権とを関連付けて格納しておき、ステップＳ１３５の処理の後、権限サーバ装置３００の処理手段３０１が、画像処理装置１００から受信したユーザ識別子に関連付けられた端末装置アクセス権を記憶手段３０３から取り出して画像処理装置１００に送信するようにしてもよい。
【００７５】
〔記憶媒体作成サービス〕
【００７６】
図１７は、記憶媒体作成サービス利用時における、画像処理装置１００、端末装置２００、権限サーバ装置３００のフローチャートである。
【００７７】
画像処理装置１００の処理手段１０１は、入力手段１０２としての操作キーから、所定のキーが押下されたことを契機として、予め記憶手段１０８に格納しているサービス選択画面の表示制御情報に基づいて、サービス選択画面６００を表示手段１０３に表示する（Ｓ１８５）。サービス選択画面６００については、前述の印刷サービス利用時と同じなので説明を省略する。
【００７８】
ここで、ユーザは、記録媒体作成サービスを利用したい場合には、入力手段１０２としての操作キーにより、記録媒体作成サービスのボタン６０３を押下して選択する。また、ユーザは、入力手段１０２としての操作キーにより、ユーザＩＤを入力する欄６０４、及びパスワードを入力する欄６０５にそれぞれ該当する情報を入力する。
【００７９】
次に、画像処理装置１００の処理手段１０１は、サービス選択画面６００のＯＫボタン６０６が入力手段１０２により押下されたことを契機として、選択されたサービスのボタンに対応するサービス識別子と、ユーザＩＤを入力する欄６０４に入力されたユーザＩＤ及びパスワードを入力する欄６０５に入力されたパスワードからなるユーザ識別子と、記憶手段１０８に格納されている画像処理装置識別子とを権限サーバ装置３００に送信する（Ｓ１９０）。
【００８０】
権限サーバ装置３００の処理手段３０１は、受信したユーザ識別子と、サービス識別子とが関連付けられてサービス設定ファイルに格納され、かつ、受信したユーザ識別子と、画像処理装置識別子とが関連付けられて利用画像処理装置ファイルに格納されている場合には、次の処理を行う（Ｓ１９５）。
【００８１】
権限サーバ装置３００の処理手段３０１は、アクセス先設定ファイルを参照して、受信したユーザ識別子に関連付けられたアクセス先識別子を取り出す。続いて、権限サーバ装置３００の処理手段３０１は、画像処理装置マスタファイルを参照して、受信した画像処理装置識別子に関連付けられた画像処理装置アクセス権を取り出す。そして、権限サーバ装置３００の処理手段３０１は、取り出したアクセス先識別子に対応する端末装置２００に、受信したサービス識別子と、ユーザ識別子と、画像処理装置識別子と、取り出した画像処理装置アクセス権とを送信する（Ｓ２００）。
【００８２】
一方、端末装置２００の処理手段２０１は、受信したユーザ識別子と、サービス識別子とが関連付けられて権限ファイルに格納され、かつ、受信したユーザ識別子と、画像処理装置識別子とが関連付けられて権限ファイルに格納されている場合には、次の処理を行う（Ｓ２０５）。端末装置２００の処理手段２０１は、記憶手段２０５から端末装置アクセス権を取り出して、受信した画像処理装置識別子に対応する画像処理装置に、当該端末装置アクセス権及び受信した画像処理装置アクセス権を送信する（Ｓ２１０）。
【００８３】
画像処理装置１００の処理手段１０１は、端末装置アクセス権及び画像処理装置アクセス権を受信する。そして、画像処理装置１００の処理手段１０１は、受信した画像処理装置アクセス権が記憶手段１０８に格納されている画像処理装置アクセス権と同一である場合に、次の処理を行う。画像処理装置１００の処理手段１０１は、ファイルリストの取得要求及び受信した端末装置アクセス権を端末装置２００に送信する（Ｓ２１５）。
【００８４】
次に、端末装置２００の処理手段２０１は、受信した端末装置アクセス権が記憶手段２０５に格納されている端末装置アクセス権と同一である場合に、次の処理を行う。端末装置２００の処理手段２０１は、権限ファイルを参照して、権限サーバ装置３００から受信したユーザ識別子に関連付けられたアクセス先識別子を取り出す。そして、端末装置２００の処理手段２０１は、当該取り出したアクセス先識別子に対応するディレクトリに格納されているファイル名の一覧（ファイルリスト）を作成する。続いて、端末装置２００の処理手段２０１は、当該作成したファイルリストを要求のあった画像処理装置１００に送信する（Ｓ２２０）。
【００８５】
そして、画像処理装置１００の処理手段１０１は、受信したファイルリスト及び予め記憶手段に格納している記録媒体作成条件画面の表示制御情報に基づいて、記録媒体作成条件画面９００を表示手段に表示する（Ｓ２２５）。図１８は、記録媒体作成条件画面９００の一例を示す構成図である。当該記録媒体作成条件画面９００は、リムーバブルメディアに書込むファイルを選択する表９０１と、使用するリムーバブルメディアの種類を選択するボタン９０２と、ＯＫボタン９０３とを備えている。
【００８６】
ここで、ユーザは、入力手段１０２としての操作キーにより、リムーバブルメディアに書込むファイルを選択する表９０１において、リムーバブルメディアに書込みたいファイル名を押下することによってリムーバブルメディアに書込むファイルを選択することができるようになっている。図１８では、選択されたファイル名として、「ｆｉｌｅ００１」及び「ｆｉｌｅ００３」にチェック記号が表示されている。また、ユーザは、入力手段１０２としての操作キーにより、リムーバブルメディアの種類を選択するボタン９０２を押下することができるようになっている。ユーザは、リムーバブルメディアの種類を選択すると共に、設定したリムーバブルメディアの種類に対応したリムーバブルメディアをリムーバブルメディア書込手段１０７にセットする。
【００８７】
次に、画像処理装置１００の処理手段１０１は、記録媒体作成条件画面９００のＯＫボタン９０３が入力手段１０２により押下されたことを契機として、ファイルの取得要求及びリムーバブルメディアに書込むファイルを選択する表９０１で選択されたファイル名を端末装置２００に送信する（Ｓ２３０）。
【００８８】
そして、ファイル取得要求を受信した端末装置２００の処理手段２０１は、受信したファイル名に対応するファイルを画像処理装置１００に送信する（Ｓ２３５）。
【００８９】
一方、画像処理装置１００の処理手段１０１は、リムーバブルメディア書込手段１０７により、記録媒体作成条件画面９００で選択された種別に応じたリムーバブルメディアに、受信したファイルを書込む（Ｓ２４０）。
【００９０】
以上のようにして、外部の画像処理装置からの指示により、ユーザが利用する自宅の端末装置等に格納されたファイルを当該画像処理装置にダウンロードして、ＣＤ−Ｒ、ＤＶＤ−Ｒ等のリムーバブルメディアに格納することができる。
【００９１】
ここで、上記実施形態では、画像処理装置１００の表示手段１０３に表示されるサービス選択画面６００において、ユーザ識別子としてのユーザＩＤ及びそのパスワードを入力手段１０２としての操作キーから入力するようになっているが、画像処理装置１００にＩＣカードリーダを備えることによって、ＩＣカードに事前に格納したユーザＩＤ及びそのパスワードを読み込むようにしてもよい。また、画像処理装置１００の処理手段１０１は、端末装置２００から端末装置アクセス権を受信しているが、上記ＩＣカードに端末装置アクセス権を格納しておき、画像処理装置のＩＣカードリーダから読み込むようにしてもよい。さらに、画像処理装置１００は、端末装置２００から端末装置アクセス権を受信しているが、権限サーバ装置３００の記憶手段３０３にユーザ識別子と端末装置アクセス権とを関連付けて格納しておき、ステップＳ１９５の処理の後、権限サーバ装置３００の処理手段３０１が、画像処理装置１００から受信したユーザ識別子に関連付けられた端末装置アクセス権を記憶手段３０３から取り出して画像処理装置１００に送信するようにしてもよい。
【００９２】
本発明によれば、不正アクセスに対してプライバシーの保護を図り、かつ、外部の複合機等の画像処理装置からの指示により、ユーザが利用する端末装置の記憶手段に格納されたファイルを、当該画像処理装置から印刷したり、ＣＤ−Ｒ等のリムーバブルメディアに格納したりすることができる。また、不正アクセスに対してプライバシーの保護を図り、かつ、画像処理装置からの指示により、当該画像処理装置のスキャナで読取った画像データを、ユーザが利用する端末装置の記憶手段に格納することができる。これによると、ユーザが外出先から、コンビニエンスストア等に設置された画像処理装置を使用して、自宅の端末装置の記憶手段に格納されたファイルを印刷したり、外出先で入手したデータを、自宅の端末装置の記憶手段に保管することができる。
【図面の簡単な説明】
【００９３】
【図１】システムの全体構成を示すブロック図である。
【図２】画像処理装置としての複合機の構成図である。
【図３】端末装置としてのＰＣの構成図である。
【図４】権限ファイルの構造図である。
【図５】権限サーバ装置としてのサーバコンピュータの構成図である。
【図６】画像処理装置マスタファイルの構造図である。
【図７】サービス設定ファイルの構造図である。
【図８】アクセス先設定ファイルの構造図である。
【図９】利用画像処理装置ファイルの構造図である。
【図１０】システムの初期設定時における、画像処理装置、端末装置、及び権限サーバ装置のフローチャートである。
【図１１】サービス登録画面の一例を示す構成図である。
【図１２】印刷サービス利用時における、画像処理装置、端末装置、権限サーバ装置のフローチャートである。
【図１３】サービス選択画面の一例を示す構成図である。
【図１４】印刷条件画面の一例を示す構成図である。
【図１５】ストレージサービス利用時における、画像処理装置、端末装置、権限サーバ装置のフローチャートである。
【図１６】ストレージ条件画面の一例を示す構成図である。
【図１７】記憶媒体作成サービス利用時における、画像処理装置、端末装置、権限サーバ装置のフローチャートである。
【図１８】記録媒体作成条件画面の一例を示す構成図である。
【符号の説明】
【００９４】
１００  画像処理装置
１０１  画像処理装置の処理手段
１０２  画像処理装置の入力手段
１０３  画像処理装置の表示手段
１０４  画像読取手段
１０５  印刷手段
１０６  画像処理装置の通信手段
１０７  リムーバブルメディア書込手段
１０８  画像処理装置の記憶手段
２００  端末装置
２０１  端末装置の処理手段
２０２  端末装置の入力手段
２０３  端末装置の表示手段
２０４  端末装置の通信手段
２０５  端末装置の記憶手段
３００  権限サーバ装置
３０１  権限サーバ装置の処理手段
３０２  権限サーバ装置の通信手段
３０３  権限サーバ装置の記憶手段
４００  通信ネットワーク
５００  サービス登録画面
６００  サービス選択画面
７００  印刷条件画面
８００  ストレージ条件画面
９００  記録媒体作成条件画面
【図１】
2005191941.tif 000003
【図２】
2005191941.tif 000004
【図３】
2005191941.tif 000005
【図４】
2005191941.tif 000006
【図５】
2005191941.tif 000007
【図６】
2005191941.tif 000008
【図７】
2005191941.tif 000009
【図８】
2005191941.tif 000010
【図９】
2005191941.tif 000011
【図１０】
2005191941.tif 000012
【図１１】
2005191941.tif 000013
【図１２】
2005191941.tif 000014
【図１３】
2005191941.tif 000015
【図１４】
2005191941.tif 000016
【図１５】
2005191941.tif 000017
【図１６】
2005191941.tif 000018
【図１７】
2005191941.tif 000019
【図１８】
2005191941.tif 000020